(57)【特許請求の範囲】
【請求項１】
最表部票に記載した事項が最下部票まで選択的に複写可能な複写構造を備え、複数個の荷物を同一依頼人から同一届け先に送るための複数個用配送伝票において、
複数個の荷物にそれぞれ貼付され、貼付される荷物の品名だけを記載する個別品名欄を有する複数枚の貼付票と、
前記複数枚の貼付票に対して配達時に届け先の配達確認を行う複数の配達確認欄を有し、前記複数個の荷物の品名を全て記載する品名欄を有する１枚の配達票とを備え、
各前記貼付票は、前記品名欄に記載された前記複数個の荷物の全ての品名のうち、前記貼付票が貼付される前記荷物の品名だけが、前記複写構造によって選択的に前記個別品名欄に複写され、
前記貼付票は、あらかじめ同一の識別コードが付されていること、
を特徴とする複数個用配送伝票。
【発明の詳細な説明】
【０００１】
【発明の属する技術分野】
本発明は、複数個の荷物を同一依頼人から同一届け先に送るための複数個用配送伝票に関するものである。
【０００２】
【従来の技術】
単一の依頼主より、同一の届け先に複数の荷物を配送する場合に、専用伝票として、『複数個用配送伝票』が使用されている。この専用伝票は、一般に「親伝（親伝票）」、「子伝（子伝票）」と言われる２種の伝票から構成されており、親伝には、配送伝票としてキーとなる、バーコードと伝票番号が付され、子伝には、伝票自体には何の番号も付されていない。
【０００３】
複数個用の伝票は、一般に２〜５個の荷物を送る場合に使用されることが多く、親伝には、１〜２個目までの荷物用の配達票と貼付票、子伝には、３〜５個目までの荷物用の配送票と貼付票といった具合に分割されている。つまり、２個までであれば、親伝のみの記入で済むが、３個以上になると、子伝への記入が必要となる。
【０００４】
依頼主からすれば、荷物が５個であれば、記入は２回で済むので、差引で最大３回分の記入が省かれ、さらに、配送価格の割引（例えば、１個所に一度に複数個の荷物を届けられることから、配送業者にもメリットがあり、１００円／個程度の割引が設定されている）という価格メリットもあるために、好適なサービスとなっている。
【０００５】
しかし、荷物が２個までの場合と、３個以上の場合とで、使用する伝票の種類が変化する等、ヘビーユーザーでないと運用がややわかりにくい点があること、また、子伝には、配送伝票のキーであるバーコードと伝票番号がないため、配送業者としても、荷受け時に親伝の伝票番号をもとに、別途バーコードを生成し、ハンディプリンタ等でラベルにバーコードを印字して、子伝の荷物１個ずつに貼付する、といった作業が必要とされ、作業性の面で不具合が多かった。
【０００６】
また、最近では、２４時間営業のコンビニ（ＣＶＳ店）に荷物を持込む場合も少なくないが、コンビニ自身の扱う商品アイテム数が膨大で、かつ、入れ替わりが激しいという事情に加え、店番もアルバイトであることが多いために、業務マニュアルも簡略化しておく必要があるということ等から複数種の伝票を用意すること自体が困難であり、前述したように、配送業者と依頼主ともにメリットのある『複数個用配送サービス』が、必ずしも、有効に活用されてこなかった側面がある。
【０００７】
複数個扱いとなるべき５個の荷物を同一届け先に届ける場合であっても、ＣＶＳ店の店番が当該サービスを知らず、また、依頼主も認知していないときには、５個の伝票を別々に記入することになる。このため、依頼主は、２回の記入で済むところを、余計に３回ほど多く記入することになり、しかも、合計５００円（１個あたりの割引が１００円の場合）も多くの支払いとなってしまう。
【０００８】
一方、ＣＶＳ店も、５枚の伝票を記入させるために、狭い店内の一部のスペースが一人の依頼主に占有されてしまうこと、伝票１枚ごとに必要事項の記入と確認を要すること等から効率が悪い、といった不具合があった。
【０００９】
なお、最近では、インターネットや携帯電話から、荷物の配達記録を確認することが可能となっているが、５個の伝票を別々に記入した場合に、すべてバラバラの伝票番号が付与されるために、確認も５回行う必要があり、ここでも無駄な費用（通信費）に加え、不便を強いられる。
【００１０】
宅配業者や取扱店は、割引を行わないことから、特段のデメリットは生じないものの、本来であれば親伝と子伝の計２セットで良いところ、計５セットの伝票を使用することから、構成は違うものの、３セット分の資源を無駄遣いしており、環境保護の観点から望ましくない。
【００１１】
では、何故、このような不具合のある伝票が存在しているのかを、技術的な観点から検証する。
従来の配送伝票の構成は、以下の通りである。
（ａ）親伝全８ｐｔ（８枚）製品
▲１▼  請求書・ご依頼主控
▲２▼  取扱店・CVS 店控
▲３▼  売上票
▲４▼  配達票（１個目の荷物用）
▲５▼  お届け先控
▲６▼  貼付票（１個目の荷物用）  ※タック紙
▲７▼  配達票（２個目の荷物用）
▲８▼  貼付票（２個目の荷物用）  ※タック紙
【００１２】
（ｂ）子伝全６ｐｔ（６枚）製品
▲１▼  配達票（３個目の荷物用）
▲２▼  貼付票（３個目の荷物用）  ※タック紙
▲３▼  配達票（４個目の荷物用）
▲４▼  貼付票（４個目の荷物用）  ※タック紙
▲５▼  配達票（５個目の荷物用）
▲６▼  貼付票（５個目の荷物用）  ※タック紙
【００１３】
以上示したとおり、親伝が８ｐｔ、子伝が６ｐｔから構成されている。
従って、１４ｐｔを丁合することが可能な製造設備（コレータ＝丁合機）があれば、形態的には、親伝と子伝を合体化することは可能である。
【００１４】
しかし、一方で、１４ｐｔのうち５ｐｔは、『ラベル基材／粘着剤／剥離紙』という積層構造からなる厚手のタック紙となるため、タック紙を１１０μｍ、その他の用紙を５０μｍと仮定すると、単純計算で合計厚さ１，０００μｍ（＝１ｍｍ）となり、一般的に使用されている配送伝票の２倍程度の厚さになってしまう。
【００１５】
カーボンインキ等による複写構造では、紙の持つクッション性等により、枚数や厚さによって複写性が大きく変化し、一般に、枚数が多くなればなるほど、また、厚さが厚くなればなるほど、複写性が低下してしまう。
そして、この複写性の低下をカーボンインキの複写性の向上（低圧力でも複写しやすい）によって対応すると、印刷後（丁合前）のロール状態とするときの圧力や、伝票状態でのハンドリング等で表面に絵柄汚れを生じさせ、複写した文字の判読性の低下になる、という新たな問題が生じる。
【００１６】
なお、親伝にバーコードと伝票番号が付されているのに、子伝にはそれらが付されていない理由は、もちろん技術的にそれらを子伝に設けることができないという訳ではなく、同一のバーコードと伝票番号が付された親伝と子伝を一対一で対応させて保管させることが、運用上で困難だからである。
例えば、２個の荷物を親伝で配送することになれば、同一バーコード、同一伝票番号の子伝を廃棄しておかなければならず、資源の無駄となるだけでなく、万一の時に大きな不整合を生じさせる。
親伝と子伝の番号が一致しないまま、取扱店で荷受けしてしまったら、配送業務自体に支障が出ることは説明するまでもないが、仮に、何かの拍子に取扱店で親伝を床に落としてバラまいてしまい、伝票番号がバラバラになってしまえば、その整理自体に多大な時間を取られる、といったことも考えられる。
【００１７】
本発明の課題は、親伝と子伝のように伝票を分割させず、一体化させてわかりやすい形態とすると共に、配送業者で実施している識別コードのラベルの発行を不要とし、配送コストの引下げに寄与することができる複数個用配送伝票を提供することである。
【００１９】
【課題を解決するための手段】
前記課題を解決するために、請求項１の発明は、最表部票に記載した事項が最下部票まで選択的に複写可能な複写構造を備え、複数個の荷物を同一依頼人から同一届け先に送るための複数個用配送伝票（１０）において、複数個の荷物にそれぞれ貼付され、貼付される荷物の品名だけを記載する個別品名欄を有する複数枚の貼付票（１６−１〜１６−５）と、前記複数枚の貼付票に対して配達時に届け先の配達確認を行う複数の配達確認欄（ｅ）を有し、前記複数個の荷物の品名を全て記載する品名欄を有する１枚の配達票（１４）とを備え、各前記貼付票は、前記品名欄に記載された前記複数個の荷物の全ての品名のうち、前記貼付票が貼付される前記荷物の品名だけが、前記複写構造によって選択的に前記個別品名欄に複写され、前記貼付票は、あらかじめ同一の識別コード（ｆ）が付されていること、を特徴とする複数個用配送伝票である。
【００２０】
【発明の実施の形態】
以下、図面等を参照して、本発明の実施の形態について、さらに詳しく説明する。
図１は、本発明による複数個用配送伝票の実施形態を模式的に示す斜視図、図２〜図１１は、本実施形態の複数個用配送伝票を構成する各票を示す図であって、図２は、請求書・ご依頼主控え票１１、図３は、取扱店・ＣＶＳ店控票１２、図４は、売上票１３、図５は、配達票１４、図６は、お届け先控票１５、図７〜図１１は、第１〜第５の貼付票１６−１〜１６−５をそれぞれ示す図である。
【００２１】
本実施形態による複数個用配送伝票１０は、５個の荷物を同一依頼人から同一届け先に送るための配送伝票であって、図１に示すように、請求書・ご依頼主控え票１１と、取扱店・ＣＶＳ店控票１２と、売上票１３と、配達票１４と、お届け先控票１５と、第１〜第５の貼付票１６−１〜１６−５等とを備えている。
【００２２】
請求書・ご依頼主控え票１１，取扱店・ＣＶＳ店控票１２，売上票１３及び配達票１４は、図１に示すように、裏カーボンが形成された複写用紙Ａである。また、お届け先控票１５及び第１〜第５の貼付票１６−１〜１６−５は、ラベル基材／粘着剤／剥離紙からなるタック紙Ｂであるが、そのタック紙Ｂに裏カーボンが形成されている。
そして、図２〜図１１に示すように、各票１１〜１６には、お届け先欄ａ，ご依頼主欄ｂ及びお届け日時希望欄ｃがそれぞれ対応して配置されている。また、各票１１〜１５には、５個の荷物に対応する品名欄ｄがそれぞれ対応して配置され、第１〜第５の貼付票１６−１〜１６−５には、それぞれ貼付される荷物のみの品名欄ｄ１〜ｄ５が配置されている。
つまり、この複数個用配送伝票１０は、最表部の請求書・ご依頼主控え票１１に記載した事項が、最下部の第５の貼付票１６−５までに、選択的に複写可能な複写構造を備えている。
【００２３】
この複数個用配送伝票１０は、各票１２〜１６−５には、左端部のライングルーＣによって、冊子状に接着され、１つの伝票組となっている。
また、１個目の荷物に貼付される伝票（親伝に相当する）は、配達票１４，お届け先控票１５及び第１の貼付票１６−１が、第１の貼付票１６−１に形成されたパターングルーＤによって、お届け先控票１５の切り欠き部１５ａを介して、配達票１４の裏面に接着されることによって、疑似接着構造（製袋）Ｅとなっている。
【００２４】
そして、親伝の表紙となる配達票１４には、図５に示すように、５個の荷物にそれぞれ貼付される第１〜第５の貼付票１６−１〜１６−５が貼付された配送荷物に対して配達時に届け先の配達確認を行う５個の受領印欄（配達確認欄）ｅが設けられている。
【００２５】
また、親伝の表紙となる配達票１４と、子伝となる第１〜第５の貼付票１６−１〜１６−５には、あらかじめ同一のバーコードｆが付されている。
【００２６】
このように、本実施形態によれば、以下のような利点がある。
（１）従来の荷物１個ずつに貼付しておいた配達票を、２個目以降については割愛して貼付票のみとし、１個目の配達票で代表させて配達確認を行うようにしたので、伝票枚数を減らすことができ、従来の親伝と子伝のように伝票を分割させず、一体化させてわかりやすい形態になった。
このため、依頼主は、最低限の記入で、容易に安価で複数個の荷物を配送できる。また、取扱店は、店舗スペースや時間を有効活用でき、コストの改善が図れ、かつ、ＣＳ向上が期待できる。さらに、配送業者は、依頼主、取扱店が積極的に活用を図るようになり、結局は、同一のバーコードで最大５個の荷物が管理できるために、管理コストの引下げが期待できる。
（２）貼付票には、あらかじめ同一のバーコードが付されているので、配送業者で実施しているバーコードラベルの発行を不要とし、配送コストの引下げに寄与する。
【００２７】
以上説明した実施形態に限定されることなく、種々の変形や変更が可能であって、それも本発明の均等の範囲内である。
例えば、貼付票１６は、５枚の例で説明したが、３枚、４枚でもよいし、複写が可能であれば、６枚以上であってもよい。
【００２８】
【発明の効果】
以上詳しく説明したように、本発明によれば、以下のような効果がある。
（１）配達票を２個目以降については割愛して貼付票のみとし、１枚の配達票で配達確認を行うようにして、伝票枚数を減らすことができたので、一体化させてわかりやすい形態になった。
（２）貼付票には、あらかじめ同一の識別コードが付されているので、配送業者で実施している識別コードのラベルの発行を不要とし、配送コストの引下げに寄与する。
【図面の簡単な説明】
【図１】本発明による複数個用配送伝票の実施形態を模式的に示す斜視図である。
【図２】本実施形態の複数個用配送伝票を構成する請求書・ご依頼主控え票１１を示す図である。
【図３】本実施形態の複数個用配送伝票を構成する取扱店・ＣＶＳ店控票１２を示す図である。
【図４】本実施形態の複数個用配送伝票を構成する売上票１３を示す図である。
【図５】本実施形態の複数個用配送伝票を構成する配達票１４を示す図である。
【図６】本実施形態の複数個用配送伝票を構成するお届け先控票１５を示した図である。
【図７】本実施形態の複数個用配送伝票を構成する第１の貼付票１６−１を示す図である。
【図８】本実施形態の複数個用配送伝票を構成する第２の貼付票１６−２を示す図である。
【図９】本実施形態の複数個用配送伝票を構成する第３の貼付票１６−３を示す図である。
【図１０】本実施形態の複数個用配送伝票を構成する第４の貼付票１６−４を示す図である。
【図１１】本実施形態の複数個用配送伝票を構成する第５の貼付票１６−５を示す図である。
【符号の説明】
１０  複数個用配送伝票
１１  請求書・ご依頼主控え票
１２  取扱店・ＣＶＳ店控票
１３  売上票
１４  配達票
１５  お届け先控票
１６−１〜１６−５  第１〜第５の貼付票
Ａ  複写用紙
Ｂ  タック紙
Ｃ  ラインイングルー
Ｄ  パターングルー
Ｅ  疑似接着構造（製袋）
ａ  お届け先欄
ｂ  ご依頼主欄
ｃ  お届け日時希望欄
ｄ，ｄ１〜ｄ５  品名欄
ｅ  受領印欄
ｆ  バーコード
【図１】
0004101541.tif 000002
【図２】
0004101541.tif 000003
【図３】
0004101541.tif 000004
【図４】
0004101541.tif 000005
【図５】
0004101541.tif 000006
【図６】
0004101541.tif 000007
【図７】
0004101541.tif 000008
【図８】
0004101541.tif 000009
【図９】
0004101541.tif 000010
【図１０】
0004101541.tif 000011
【図１１】
0004101541.tif 000012